(57)【要約】      （修正有）【課題】シームレスに組合せ可能な広角照射型発光ダイオード灯具を提供する。【解決手段】広角照射型発光ダイオード灯具１は、中空シェル状の管部材とし、両端に開口１１があり、放熱器１２が設置可能な灯フレーム１０と、電源モジュール２０と、雌コネクタ３１を有する第一灯ヘッド３０と、外形が雌コネクタ３１に対応する、電気的に接続可能な雄コネクタ４１を有する第二灯ヘッド４０と、電源モジュール２０に電気的に接続するＬＥＤモジュール５０と、第一灯ヘッド３０及び第二灯ヘッド４０に設けられ、ＬＥＤモジュール５０に向かう側に其笠接続部６１を有する透光性のプラグ６０と、二つのプラグ６０の間に固定され、両端がプラグ６０の笠接続部６１と係合する笠７０と、を含む。優れた照明効果を得ることができる。【選択図】図１
0003212751.tif 000002
【実用新案登録請求の範囲】
【請求項１】
両端に開口がある長尺状の中空シェル状の管部材であり、且つワーク面に放熱器が設置可能な灯フレームと、
前記灯フレーム内に固定される電源モジュールと、
前記灯フレームの一つの前記開口に固定され、其の断面形状が該開口に対応し、且つ外側に前記電源モジュールと電気的に接続可能な雌コネクタを有する第一灯ヘッドと、
前記灯フレームの他の前記開口に固定され、其の断面形状が該開口に対応し、且つ外側に、外形が前記雌コネクタに対応し、前記電源モジュールと電気的に接続可能な雄コネクタを有する第二灯ヘッドと、
前記放熱器に固定され、且つ前記電源モジュールに電気的に接続する発光ダイオードモジュールと、
前記第一灯ヘッド及び前記第二灯ヘッドに設けられ、前記発光ダイオードモジュールに向かう側に笠接続部を有する透光性のプラグと、
前記二つのプラグの間に固定され、前記発光ダイオードモジュールをカバーし、両端が前記プラグの前記笠接続部と係合する笠と、を含むことを特徴とする広角照射型発光ダイオード灯具。
【請求項２】
前記開口の断面が矩形となる、ことを特徴とする請求項１に記載の広角照射型発光ダイオード灯具。
【請求項３】
前記開口に近接する前記灯フレームの側壁面に第一係合部が設けられ、
前記第一灯ヘッドの一側、及び前記第二灯ヘッドの一側に第二係合部が設けられ、
前記第二係合部は、前記第一係合部と接触してから直接に係合する、ことを特徴とする請求項１に記載の広角照射型発光ダイオード灯具。
【請求項４】
前記第一係合部は、少なくとも一つの孔又は凹溝であり、且つ
前記第二係合部は、少なくとも一つの突起である、ことを特徴とする請求項３に記載の広角照射型発光ダイオード灯具。
【請求項５】
前記笠と前記笠接続部は、透明粘着剤により固定される、ことを特徴とする請求項１に記載の広角照射型発光ダイオード灯具。
【請求項６】
前記笠と前記笠接続部は、ＵＶ粘着剤により固定される、ことを特徴とする請求項１に記載の広角照射型発光ダイオード灯具。
【請求項７】
前記笠の断面が２４０度より大きい又は等しい、ことを特徴とする請求項１に記載の広角照射型発光ダイオード灯具。
【考案の詳細な説明】
【技術分野】
【０００１】
本考案は、シームレスに組合せ可能な広角照射型発光ダイオード灯具に関する。
【背景技術】
【０００２】
従来、照明用白光を提供する蛍光灯を光源とした灯具は、室内照明で広くて使用されているものであり、構成が簡単で、コストが高くないなどの利点があるため、伝統的な照明の中では最も主要なものである。
【０００３】
しかしながら、蛍光灯は、体積が大きいので、製造、使用又は廃棄される際に、大量な水銀が放出され、環境汚染を招いてしまう危険性がある。蛍光灯は寿命が１０００時間と短いうえ、フィラメントの発熱に使われた電気エネルギーのうち、わずか１０％だけが可視光線に変わり、残り９０％の電気エネルギーは、無用な熱などに変わり空気へ散逸してしまう。これらの欠点により、蛍光灯は、自然環境に負担をかけるものである。
【０００４】
近年、発光ダイオード（以下、ＬＥＤ）照明が発展している。例えば、伝言、通信、消費性電子製品の指示器及び表示設備など、広く日常生活に使用されている。特に白光ＬＥＤの出現により、ＬＥＤが光源又は照明製品として使用され、新しい時代を開いている。光源又は照明製品は、ＬＥＤにおいて最大な、発展可能性がある市場であり、消費者が嗜好する製品が様々に開発されている。
【０００５】
ＬＥＤは、環境にやさしく、省エネルギー、高効率、長い使用寿命、小型の体積、及び速い反応などの利点を有している。伝統的な蛍光灯の欠点を避け、環境にやさしく、かつＣＯ2排出削減と省エネルギー効果との要求に応じるために、照明技術領域の当業者はＬＥＤ灯具を開発した。ＬＥＤ灯具は、各種の照明に使用されている。ＬＥＤ照明は、２１世紀の光源として、伝統的な光源に代わり、主要な照明光源として使用できると認識されている。
【考案の概要】
【考案が解決しようとする課題】
【０００６】
Ｔ５型などの直管形発光ダイオード灯具は、実際に使用される際に、室内の空間に応じて複数で直列することにより用いられることがある。この直列型方式においては、各灯具同士の間をシームレスで正確に組合せることが困難である。そのため、室内空間に照明光源が配置されると、灯具が区切られたように感じる。即ち、使用者は、それらが別々に区切られた灯具であることに容易に気づく。従って、外観上、低い組み合わせ技術により構成されたものであるという感覚を与えてしまい、室内空間の設計品質の向上が妨害される。
【０００７】
また、Ｔ５型などの直管形発光ダイオード灯具は、実際に使用される際には、外部の笠は略半円形の殻体であり、出光面が小さい。これより内部の発光ダイオードが発光する際には、光が集中し過ぎ、光が均一に出射しないという欠点がある。
【０００８】
なお、従来の技術では、互いに緊密に係合することが困難なため、笠と灯具との間の接続箇所にほこりが入ることがある。若しくは緊密に係合するように接着剤を用いるため、その接着剤が乾燥した後、マークやキズアトが発生することがある。
【０００９】
本考案は、上記の問題点に鑑みてなされたものであり、その目的は、シームレスに組合せ可能な広角照射型発光ダイオード灯具を提供するものである。
【課題を解決するための手段】
【００１０】
上記の目的を達するために、本考案に採用した技術的手段によれば、長尺状の中空シェル状の管部材とし、両端にそれぞれ開口があり、且つ其のワーク面に放熱器が設置可能な灯フレームと、灯フレーム内に固定される電源モジュールと、灯フレームの一つの開口に固定され、其の断面形状が開口に対応し、且つ外側に電源モジュールと電気的に接続可能な雌コネクタを有する第一灯ヘッドと、灯フレームの他の開口に固定され、其の断面形状が開口に対応し、且つ外側に、外形が雌コネクタに対応し、電源モジュールと電気的に接続可能な雄コネクタを有する第二灯ヘッドと、放熱器に固定され、且つ電源モジュールに電気的に接続する発光ダイオードモジュールと、第一灯ヘッド及び第二灯ヘッドに設けられ、発光ダイオードモジュールに向かう側に笠接続部を有する透光性のプラグと、二つのプラグの間に固定され、発光ダイオードモジュールをカバーし、両端がプラグの笠接続部と係合する笠と、を含むことを特徴とする広角照射型発光ダイオード灯具である。
【００１１】
好ましくは、開口の断面が矩形となる。
【００１２】
好ましくは、開口に近接する灯フレームの側壁面に第一係合部が設けられ、第一灯ヘッドの一側、及び第二灯ヘッドの一側に、第二係合部が設けられ、第二係合部は、第一係合部と接触してから直接に係合する。
【００１３】
好ましくは、第一係合部は、少なくとも一つの孔又は凹溝であり、且つ第二係合部は、少なくとも一つの突起である。
【００１４】
好ましくは、笠と笠接続部は、透明粘着剤により固定される。
【００１５】
好ましくは、笠と笠接続部は、ＵＶ粘着剤により固定される。
【００１６】
好ましくは、笠の断面が２４０度より大きい又は等しい。
【００１７】
本考案は、優れた照明効果を提供する広角照射型発光ダイオード灯具を実現することができる。複数の広角照射型発光ダイオード灯具がシームレスに組み合わされ直列に接続したとき、プラグが透明となる。地面にいる使用者は、それらの灯具同士の間に間隔があるとは感じず、灯具同士がシームレスに組み合わせられたものであると感じるので、室内空間の設計品質が向上する。
【００１８】
なお、笠の断面が少なくとも２４０度の広角タイプ出光面を具える特性によれば、光が均一に出ているような優れた効果を得ることができる。また、アルミニウムから構成された放熱器によれば、放熱機能が向上し、灯具の効率を増進することができる。さらに、笠と笠接続部は、ＵＶ粘着剤などの、キズアトが残らない透明粘着剤により固定されるので、灯管に埃が入ることを避けることのみならず、照明が遮られない特性を得ることができ、シームレスに組合せ可能な灯管からの利点を強化し、従来の技術が達することができないレベルにあるものである。
【図面の簡単な説明】
【００１９】
【図１】本考案の広角照射型発光ダイオード灯具を示す分解斜視図である。
【図２】本考案の広角照射型発光ダイオード灯具を示す平面図である。
【図３】本考案の広角照射型発光ダイオード灯具の応用実施例を示す図である。
【考案を実施するための形態】
【００２０】
上記の目的、技術的特徴、及び実施した後の利点をより明らかにするために、以下、本考案に係る好ましい実施形態について、図面を参照しながら詳細に説明する。
【００２１】
図１は、本考案の広角照射型発光ダイオード灯具を示す分解斜視図である。図２は、本考案の広角照射型発光ダイオード灯具を示す平面図である。図１及び図２に示したように、本考案に提出された広角照射型発光ダイオード灯具１は、好ましい実施例の一つとして、灯フレーム１０と、電源モジュール２０と、第一灯ヘッド３０と、第二灯ヘッド４０と、発光ダイオード（以下、ＬＥＤ）モジュール５０と、二つのプラグ６０と、笠７０とを含んでなる。本考案の広角照射型発光ダイオード灯具１はシームレスに組み合わせ可能である。
【００２２】
灯フレーム１０は、長尺状の中空シェル状の管部材とし、両端にそれぞれ開口１１がある。開口１１の断面は矩形であってもよい。開口１１に近接する灯フレーム１０の側壁面に第一係合部１１１が設置されており、第一係合部１１１は、少なくとも一つの孔又は凹溝であってもよい。灯フレーム１０のワーク面に放熱器１２が設置可能であり、放熱器１２は高導熱効果を具えるアルミニウムから構成されるものである。
【００２３】
電源モジュール２０は、灯フレーム１０内に対応して固定されており、配線を通し照明機能を提供するものである。
【００２４】
第一灯ヘッド３０は、灯フレーム１０の一つの開口１１に対応して固定され、且つ其の断面形状が開口１１に対応している。第一灯ヘッド３０の一側に、第二係合部が設置されており（図に示せず）、第一係合部１１１と接触してから対応して直接に係合することができる。第二係合部は、少なくとも一つの突起であってもよく、第一灯ヘッド３０が開口１１を通り過ぎる際に、第一係合部１１１と第二係合部との接触を通し固定の力を発生させ、第一灯ヘッド３０を開口１１に固定させるものである。第一灯ヘッド３０の外側に、電源モジュール２０に電気的に接続している雌コネクタ３１が設置されている。
【００２５】
第二灯ヘッド４０は、灯フレーム１０の他の開口１１に対応して固定され、且つ其の断面形状が開口１１に対応している。第二灯ヘッド４０の一側に、第二係合部が設置されており（図に示せず）、第一係合部１１１と接触してから対応して直接に係合することができる。第二係合部は、少なくとも一つの突起であってもよく、第二灯ヘッド４０が開口１１を通り過ぎる際に、第一係合部１１１と第二係合部との接触を通し固定の力を発生させ、第二灯ヘッド４０を開口１１に固定させるものである。第二灯ヘッド４０の外側に、電源モジュール２０に電気的に接続しており且つ外形が雌コネクタ３１に対応している雄コネクタ４１が設置されている。
【００２６】
図３は、本考案の広角照射型発光ダイオード灯具の応用実施例を示す図である。図３を参照し、雄コネクタ４１は、もう一つのシームレスに組合せ可能な広角照射型発光ダイオード灯具１の雌コネクタ３１と係合してもよく、シームレスな直列組合せが可能である。
【００２７】
ＬＥＤモジュール５０は、放熱器１２に対応して固定され、且つ電源モジュール２０に電気的に接続している。
【００２８】
二つのプラグ６０は、それぞれに第一灯ヘッド３０及び第二灯ヘッド４０に設置されており、其の内側、つまりＬＥＤモジュール５０を向いた側に笠接続部６１が設置されている。プラグ６０は、透光性であり、ＬＥＤモジュール５０が点灯する際に、光線により透過されるようにするものである。
【００２９】
笠７０は、二つのプラグ６０の間に対応して固定されており、且つＬＥＤモジュール５０を対応してカバーしている。笠７０は、断面が２４０度より大きく又は等しく呈するものであり、其の両端がプラグ６０の笠接続部６１と対応して係合している。笠７０と笠接続部６１は、ＵＶ粘着剤などのキズアトが残らない透明粘着剤により固定されてもよい。
【００３０】
本考案は、シームレスに組合せ可能な灯管からの優れた照明効果を提供する広角照射型発光ダイオード灯具を実現することができる。複数の、広角照射型発光ダイオード灯具１がシームレスに組合あわさり直列に接続した後、プラグ６０が透明となるので、地面にいる使用者は、それらの灯具同士の間に間隔があること代わりに、さらにそれらの灯具同士がシームレスに組み合わせられたものであることが気づき、室内空間の設計感が向上する。
【００３１】
なお、笠７０の断面が少なくとも２４０度の広角タイプ出光面を具える特性によれば、光が均一に出ているような優れた効果を得ることができる。また、アルミニウムから構成された放熱器によれば、高度の放熱機能が向上し、灯具の効率を増進することができる。さらに、笠７０と笠接続部６１は、ＵＶ粘着剤などの、キズアトが残らない透明粘着剤により固定されるので、灯管に埃が入ることを避けることのみならず、照明が遮られない特性を得ることができ、シームレスに組合せ可能な灯管からの利点を強化し、従来の技術が達することができないレベルにあるものである。
【００３２】
上述した実施形態は、本考案が属する技術分野における通常の知識を有する者が本考案を実施できることを目的として記載されたものである。上記実施形態の種々の変形例は、当業者であれば当然になしうることであり、本考案の技術的思想は他の実施形態にも適用しうる。したがって、本考案は、記載された実施形態に限定されることはなく、実用新案登録請求の範囲によって定義される技術的思想に従った最も広い範囲に解釈されるものである。
【００３３】
上記結果から、本考案は、従来の技術を突破する上、増進しようとする効果に確実に達し、且つそれが具える進歩性及び実用性などの要件が、当業者に容易に想到されるものではない。
【００３４】
本考案のメリット、特徴および実施形態は、例示的な実施例および図面の参照により詳しく説明されて容易に理解できるが、本考案は異なる形態で実現されてもよく、かつここに記載されている実施形態に限られると解釈されるべきではない。その一方で、本考案の属する技術分野における技術者にとって、提供される実施形態により、本考案はよりはっきりと開示され、本考案の内容は全面的にかつ完全に伝わる。また、本考案は添付した実用新案登録請求の範囲のみにより定義される。図面において、構成部分や構成要素などの寸法および相対寸法は、明瞭にわかりやすくなるように拡大表示される。明細書において、同一の構成要素の符号は同一の組立品を指している。上記の文に使用される用語「及び／又は」については、Ａ及び／又はＢであれば、Ａ又はＢの少なくとも一方（１つ）を意味し、Ａ、Ｂ及び／又はＣであれば、Ａ、Ｂ、又はＣの少なくともいずれか１つを意味する。
【００３５】
上記の文に使用されたすべての用語（科学・技術の術語を含む）は、本考案の属する技術分野における技術者の通常理解する意味と同一の意味を有している。また、例えば通常使用され辞書により定義されるそれらの用語が、関連分野における内容に一致する意味を有すると解釈されるべきであり、かつ上記の文においてそれらの用語に他の定義がなければ、それらの用語は通常の意味により理解される。
【００３６】
以上、図面に合わせて例示的な実施例を詳しく述べたが、それらの実施例は異なる形式に含まれてもよく、かつ本考案の実用新案登録請求の範囲を限定すべきではない。それらの実施例により本考案が完全かつ明瞭に開示され、当技術を熟知する者はそれらの実施例を介して本考案の内容を理解することができる。
【符号の説明】
【００３７】
１                広角照射型発光ダイオード灯具
１０              灯フレーム
１１              開口
１１１            第一係合部
１２              放熱器
２０              電源モジュール
３０              第一灯ヘッド
３１              雌コネクタ
４０              第二灯ヘッド
４１              雄コネクタ
５０              ＬＥＤモジュール
６０              プラグ
６１              笠接続部
７０              笠
【図１】
0003212751.tif 000003
【図２】
0003212751.tif 000004
【図３】
0003212751.tif 000005